(57)【特許請求の範囲】
【請求項１】
着用者の目を覆って温熱を付与する目用温熱具であって、
相転移により発熱する過冷却状態の所定の溶液が収容された本体部を備え、
前記所定の溶液は、所定の塩を過飽和の状態で水に溶解した水溶液であり、
前記本体部は、使用の際に着用者の目及び眉を覆うように着用され、
前記本体部における当該目用温熱具が着用された着用者の眉と対向する一端部側には、当該本体部に収容された前記所定の溶液を結晶化させた微細な結晶である結晶化開始部が前記所定の溶液と接しないように配設され、
前記結晶化開始部は、前記所定の溶液と接することで当該所定の溶液の結晶化を開始させることを特徴とする目用温熱具。
【請求項２】
前記本体部は、
前記所定の溶液が収容された第１収容部と、前記結晶化開始部が収容された第２収容部と、前記第１収容部と前記第２収容部とを非連通状態で保持する仕切り部とを備え、
前記仕切り部は、
前記第１収容部及び前記第２収容部のうち、少なくとも一方の収容部側から加えられる圧力により剥がされて、前記第１収容部と前記第２収容部とを連通状態とするように構成されていることを特徴とする請求項１に記載の目用温熱具。
【請求項３】
前記所定の溶液には、当該所定の溶液が結晶化された状態での柔らかさを調整する調整剤が添加されてなり、
前記調整剤は、アルコール及び多糖類のうち、少なくとも一方を含むことを特徴とする請求項１又は２に記載の目用温熱具。
【発明の詳細な説明】
【技術分野】
【０００１】
本発明は、例えば、アイマスク形状に形成され、着用された目や目の周囲に温熱を付与する目用温熱具に関する。
【背景技術】
【０００２】
従来より、鉄粉等の金属粉の酸化反応に伴って発熱する発熱体を利用して、例えば、目や目の周囲に温熱を付与する温熱具が知られている（例えば、特許文献１参照）。この温熱具は、具体的には、発熱体の発熱によって水を加熱して水蒸気化し、当該水蒸気を温熱とともに目や目の周囲に供給するようになっている。
【先行技術文献】
【特許文献】
【０００３】
【特許文献１】特許第３０４９７０７号公報
【発明の概要】
【発明が解決しようとする課題】
【０００４】
しかしながら、上記特許文献１では、金属粉の酸化を効率良く行うことができるように発熱体がシート状に形成されているため、凹凸のある目の部分に対するフィット性が悪いといった問題がある。即ち、目は、眼球表面やまぶたが湾曲してなるとともに、目の周囲の部分は、上下方向には眉から頬（前頭骨の眉弓から眼窩下縁）にかけて凹凸を有し、左右方向には鼻から目尻（前頭骨の鼻部から眼窩外側縁）にかけて凹凸を有する形状である。
ここで、予めシート状の発熱体を凹凸に沿うように変形させておくことも考えられるが、目の周囲に限らずヒトの身体の形状は人種や性別や年齢等によって様々であるため、全てを満たすような特定の形状に形成することは困難であり、その一方で、個別に対応させるようにするとコストアップを招いてしまうといった問題が生じる。
【０００５】
そこで、本発明の課題は、凹凸のある目の部分に対するフィット性を向上させることができる目用温熱具を提供することである。
【課題を解決するための手段】
【０００６】
上記課題を解決するため、請求項１に記載の発明は、
着用者の目を覆って温熱を付与する目用温熱具であって、相転移により発熱する過冷却状態の所定の溶液が収容された本体部を備え、前記所定の溶液は、所定の塩を過飽和の状態で水に溶解した水溶液であり、前記本体部は、使用の際に着用者の目及び眉を覆うように着用され、前記本体部における当該目用温熱具が着用された着用者の眉と対向する一端部側には、当該本体部に収容された前記所定の溶液を結晶化させた微細な結晶である結晶化開始部が前記所定の溶液と接しないように配設され、前記結晶化開始部は、前記所定の溶液と接することで当該所定の溶液の結晶化を開始させることを特徴としている。
【０００７】
請求項１に記載の発明によれば、相転移により発熱する過冷却状態の所定の溶液が収容された本体部における当該目用温熱具が着用された着用者の眉と対向する一端部側には、所定の溶液の結晶化を結晶化させた微細な結晶である結晶化開始部が所定の溶液と接しないように配設され、結晶化開始部は、所定の溶液と接することで当該所定の溶液の結晶化を開始させるので、結晶化開始部と所定の溶液とを接触させることにより所定の溶液の結晶化が開始させられると、本体部の着用者の眉と対向する一端部側からから他端部側にかけて所定の溶液の結晶化が進行していくことで、目の部分の凹凸に沿うように所定の溶液の結晶を成長させることができ、凹凸のある目の部分に対する当該目用温熱具のフィット性を向上させることができる。
【００１０】
請求項２に記載の発明は、請求項１に記載の目用温熱具において、
前記本体部は、前記所定の溶液が収容された第１収容部と、前記結晶化開始部が収容された第２収容部と、前記第１収容部と前記第２収容部とを非連通状態で保持する仕切り部とを備え、前記仕切り部は、前記第１収容部及び前記第２収容部のうち、少なくとも一方の収容部側から加えられる圧力により剥がされて、前記第１収容部と前記第２収容部とを連通状態とするように構成されていることを特徴としている。
【００１１】
請求項２に記載の発明によれば、請求項１に記載の発明と同様の効果が得られるのは無論のこと、特に、第１収容部と第２収容部とを非連通状態で保持する仕切り部は、第１収容部及び第２収容部のうち、少なくとも一方の収容部側から加えられる圧力により剥がされて、第１収容部と第２収容部とを連通状態とするので、第１収容部に収容されている所定の溶液と第２収容部に収容されている結晶化開始部とを接触可能な状態とすることができる。これにより、結晶化開始部と所定の溶液とが接触することで、所定の溶液の結晶化が開始することとなる。
【００１２】
請求項３に記載の発明は、請求項１又は２に記載の目用温熱具において、
前記所定の溶液には、当該所定の溶液が結晶化された状態での柔らかさを調整する調整剤が添加されてなり、前記調整剤は、アルコール及び多糖類のうち、少なくとも一方を含むことを特徴としている。
【００１３】
請求項３に記載の発明によれば、請求項１又は２に記載の発明と同様の効果が得られるのは無論のこと、特に、所定の溶液には、当該所定の溶液が結晶化された状態での柔らかさを調整する調整剤が添加されてなり、調整剤は、アルコール及び多糖類のうち、少なくとも一方を含むので、所定の溶液が結晶化された状態で十分な柔らかさを保持することができ、着用される目の部分に対するフィット性をさらに向上させることができる。
【発明の効果】
【００１４】
本発明によれば、目の部分の凹凸に沿うように所定の溶液の結晶を成長させることができ、凹凸のある目の部分に対する当該目用温熱具のフィット性を向上させることができる。
【図面の簡単な説明】
【００１５】
【図１】本発明を適用した一実施形態の目用温熱具を説明するための図である。
【図２】図１の目用温熱具の本体部を説明するための図である。
【図３】図２の目用温熱具の本体部に収容されている所定の溶液の結晶化を説明するための図である。
【図４】変形例１の目用温熱具の本体部を説明するための図である。
【図５】変形例２の目用温熱具の本体部を説明するための図である。
【発明を実施するための形態】
【００１６】
以下に、本発明について、図面を用いて具体的な態様を説明する。ただし、発明の範囲は、図示例に限定されない。
図１は、本発明を適用した一実施形態の目用温熱具１００を説明するための図であり、図１（ａ）は、目用温熱具１００を示す正面図であり、図１（ｂ）は、図１（ａ）のI−I線における目用温熱具１００の断面図である。
【００１７】
目用温熱具１００は、例えば、アイマスク形状に形成され、着用者Ｈの両目Ｅ、Ｅを覆って温熱を付与する温熱具である。具体的には、図１（ａ）及び図１（ｂ）に示すように、目用温熱具１００は、使用の際に着用者Ｈの左右両目Ｅ、Ｅを覆うように着用される二つの本体部１、１と、着用者Ｈの各耳に掛けられる一対の耳掛け部２、２とを備えている。
本実施形態においては、着用者Ｈの左右の両目Ｅ、Ｅを結ぶ左右方向をＸ方向とし、Ｘ方向に直交する一方向をＹ方向とし、Ｘ方向及びＹ方向の双方に直交する方向をＺ方向とする。なお、目用温熱具１００は、例えば、着用者Ｈが仰向けになるなど、顔の正面を上方に向けた状態（図１（ｂ）参照）で使用されるのが一般的であるため、Ｚ方向が鉛直方向（重力方向）と略平行なものとして説明する。
また、図１（ｂ）には、着用者ＨのまぶたＨ３を閉じた状態で、眉Ｈ１から頬Ｈ２に亘るように目用温熱具１００が着用された状態を模式的に表している。
【００１８】
図２は、目用温熱具１００の本体部１を説明するための図であり、図２（ａ）は、目用温熱具１００の本体部１を示す平面図であり、図２（ｂ）は、図２（ａ）のII−II線における本体部１の断面図である。
本体部１は、左右両目Ｅ、Ｅの各々に対応させるようにＸ方向（左右方向）に二つ設けられている。また、各本体部１は、主として、相転移により発熱する過冷却状態の所定の溶液Ｌを収容するものである。具体的には、図２（ａ）及び図２（ｂ）に示すように、所定の溶液Ｌが収容された第１収容部１１と、所定の溶液Ｌの結晶化を開始させる結晶化開始部Ｐが収容された第２収容部１２と、第１収容部１１と第２収容部１２とを非連通状態で保持する仕切り部１３とを備えている。
また、本体部１は、第１及び第２包装部材１Ａ、１Ｂを有し、重ね合わされた第１及び第２包装部材１Ａ、１Ｂの所定箇所が所定の圧着方法（例えば、ヒートシール等）により貼り合わされることで、第１収容部１１、第２収容部１２及び仕切り部１３を形成している。
【００１９】
第１包装部材１Ａは、着用者Ｈの肌側に設けられ、一方、第２包装部材１Ｂは、着用者Ｈの肌と反対側に設けられる。第１及び第２包装部材１Ａ、１Ｂは、例えば、略同形状に形成され、使用の際に本体部１が目Ｅを覆うのに十分なＸ方向（左右方向）の長さ（幅）及びＹ方向（眉Ｈ１から頬Ｈ２に亘る方向）の長さを有している。
また、第１及び第２包装部材１Ａ、１Ｂは、強度や耐久性等を考慮した所定の材料から形成されている。第１及び第２包装部材１Ａ、１Ｂの材料としては、例えば、ポリエチレン（ＰＥ）、低密度ポリエチレン（ＬＤＰＥ）、ポリプロピレン（ＰＰ）、ポリエチレンテレフタレート（ＰＥＴ）、ポリアミド（ＰＡ）等のフィルムや、所定種類のフィルムを積層した積層体などが挙げられる。
【００２０】
第１収容部１１及び仕切り部１３は、所定方向（例えば、Ｚ方向）に重ね合わされた第１及び第２包装部材１Ａ、１Ｂが、例えば、略「ロ」字状に貼り合わされることで形成される。
即ち、第１及び第２包装部材１Ａ、１Ｂの所定位置に、所定の溶液Ｌ（過冷却状態のものであっても良いし、過冷却される前のものであっても良い）が配置された状態で、その周囲が略「ロ」字状に貼り合わされることで第１貼り合わせ部１４が形成される。これにより、第１貼り合わせ部１４の内側に第１収容部１１が構成されるとともに、当該第１貼り合わせ部１４における一部分（例えば、眉Ｈ１側の部分等）によって、仕切り部１３が構成される。
このように、第１貼り合わせ部１４は、第１収容部１１の周りを囲むように（内外を隔てるように）形成されている。
【００２１】
第１収容部１１は、例えば、平面視にて略矩形状をなし、当該第１収容部１１には、所定の溶液Ｌが過冷却状態で収容されている。
所定の溶液Ｌは、所定の塩が所定の濃度で水に溶解した水溶液である。具体的には、所定の溶液Ｌは、例えば、所定量の所定の塩を過飽和の状態となるように所定量の水に（必要に応じて加熱することで）溶解させ、過冷却状態としたものである。
ここで、所定の塩としては、酢酸ナトリウム無水塩、酢酸ナトリウム三水塩、硫酸ナトリウム十水塩、塩化カルシウム六水塩、ピロリン酸ナトリウム十水塩、水酸化バリウム六水塩等の無機水和塩及び他の塩を配合して融点を調整した無機水和塩の混合塩、パラフィンやポリエチレングリコール、脂肪酸等が挙げられ、これらの中でも、酢酸ナトリウム三水塩と硫酸ナトリウム十水塩が好ましい。
【００２２】
なお、例えば、酢酸ナトリウム三水塩を過冷却状態とする場合、例えば、酢酸ナトリウム三水塩と水を混合した後加熱して酢酸ナトリウム三水塩を溶解させるか、酢酸ナトリウム三水塩と水を容器に充填後加熱して酢酸ナトリウム三水塩を溶解させる必要がある。
【００２３】
また、所定の溶液Ｌには、当該所定の溶液Ｌが結晶化された状態での柔らかさを調整する調整剤が添加されている。
調整剤としては、例えば、エタノール等の１価アルコール、グリセリンやポリエチレングリコール（ＰＥＧ）等の多価アルコール、フルクトースやシクロデキストリン等の多糖類などが挙げられる。これらの１価アルコールや多価アルコールや多糖類は、調整剤として個別に用いても良いし、混合して用いても良い。即ち、調整剤は、アルコール及び多糖類のうち、少なくとも一方を含んでいれば良い。
ここで、アルコールは、多糖類に比べて分子量が小さく、また、分子構造が複雑でないため、所定の溶液Ｌに含まれる所定の塩や水と馴染み易い。そこで、結晶化された状態で十分な柔らかさを保持する必要がある場合には、主としてアルコール（特に、多価アルコール）を用いるのが好ましく、結晶化された状態である程度の硬さを保持する必要がある場合には、主として多糖類を用いるのが好ましい。
【００２４】
また、所定の溶液Ｌには、調整剤が５〜２０［重量％］となるように添加されている。
下限が５［重量％］未満では、当該所定の溶液Ｌが結晶化された状態で十分な柔らかさを保持することができず、着用される部位（例えば、目Ｅの部分等）に対するフィット性が悪化してしまうためである。また、上限が２０［重量％］を超えると、当該所定の溶液Ｌが十分に結晶化することができず、相転移により十分な凝固熱を発生させることができないためである。
【００２５】
仕切り部１３は、第１貼り合わせ部１４における他の部分に対して貼り合わせの強度が低くされている。
即ち、仕切り部１３は、第１及び第２包装部材１Ａ、１Ｂが所定の圧着方法により貼り合わされて第１貼り合わせ部１４が形成される際に、当該第１貼り合わせ部１４における他の部分に対して低い温度で圧着される（詳細後述）。これにより、仕切り部１３の貼り合わせの強度は、当該第１貼り合わせ部１４における他の部分の貼り合わせの強度に対して低くなる。
【００２６】
また、仕切り部１３の貼り合わせの強度は、第１収容部１１及び第２収容部１２のうち、少なくとも一方の収容部（例えば、第１収容部１１等）側から加えられる圧力により剥がされる程度に設定されている。
即ち、仕切り部１３は、当該目用温熱具１００の非使用状態にて、第１収容部１１と第２収容部１２とを仕切るものであり、これにより、第１収容部１１に収容されている所定の溶液Ｌと第２収容部１２に収容されている結晶化開始部Ｐとが接しないように保持されている。
そして、当該目用温熱具１００の使用の際に、第１収容部１１及び第２収容部１２のうち、少なくとも一方の収容部（例えば、第１収容部１１等）が他方の収容部（例えば、第２収容部１２等）側に使用者により加圧されると、当該仕切り部１３が剥がされて、第１収容部１１の内側と第２収容部１２の内側（結晶化開始部Ｐの存する空間）とを連通状態とする。これにより、第１収容部１１に収容されている所定の溶液Ｌと第２収容部１２に収容されている結晶化開始部Ｐとが接触可能な状態となる。
なお、目用温熱具１００の使用者は、当該目用温熱具１００の着用者Ｈに限られず、当該目用温熱具１００の使用を補助する補助者等であっても良い。
【００２７】
また、仕切り部１３は、第１収容部１１よりも眉Ｈ１側に離れるほど左右方向の長さ（幅）が狭くなっている。即ち、平面視にて略矩形状に形成された第１収容部１１の眉Ｈ１側に、平面視にて略台形状に形成された仕切り部１３が形成されている。そして、仕切り部１３の左右方向の長さ（幅）が最も狭くなっている上底部分に隣り合うように第２収容部１２が形成されている。
なお、第１貼り合わせ部１４における眉Ｈ１側の部分のうち、仕切り部１３以外の部分は、第１貼り合わせ部１４における他の部分と同様に、仕切り部１３よりも貼り合わせの強度が高くされている。
なお、仕切り部１３の形状は、一例であってこれに限られるものではなく、適宜任意に変更可能である。
【００２８】
第２収容部１２には、第１収容部１１に収容されている所定の溶液Ｌの結晶化を開始させる結晶化開始部Ｐが収容されている。
この第２収容部１２は、所定方向（例えば、Ｚ方向等）に重ね合わされた第１及び第２包装部材１Ａ、１Ｂにおける、仕切り部１３を挟んで第１収容部１１と反対側の部分が所定の圧着方法（例えば、ヒートシール等）により貼り合わされることで形成される。即ち、第１及び第２包装部材１Ａ、１Ｂが、第１収容部１１よりも眉Ｈ１側にて門形状に貼り合わされることで第２貼り合わせ部１５が形成される。具体的には、第２貼り合わせ部１５は、第１貼り合わせ部１４における眉Ｈ１側の部分（仕切り部１３を含む部分）と隣り合うように第１及び第２包装部材１Ａ、１Ｂが貼り合わされている。これにより、第２貼り合わせ部１５の内側に、結晶化開始部Ｐが収容される第２収容部１２が構成される。
【００２９】
結晶化開始部Ｐは、例えば、第１収容部１１に収容されている所定の溶液Ｌを結晶化させた微細な結晶であり、所定の溶液Ｌと接することで当該所定の溶液Ｌの結晶化を開始させる。
ここで、従来の過冷却状態の溶液の相転移（結晶化）を利用した温熱体（例えば、カイロなど）として、例えば、溶液中に存する金属製の皿形の湾曲片を外圧によって反転させるときの衝撃を利用して当該過冷却状態の溶液の結晶化を開始するものが知られている。
しかしながら、上記のような結晶化の開始方法では、例えば、一度の操作で結晶化を確実に開始させることができない場合が多いといった問題や、金属製の湾曲片は反転できるように相対的に大きい寸法のものが必要であるためにコンパクト化が困難であるといった問題や、破損した場合に硬質の金属製の湾曲片が露出してしまい当該目用温熱具１００の外部のものに傷を生じさせる虞があるだけでなく、長期間の保管の際に腐食する虞もあるといった問題などがある。さらに、誤って電子レンジなどで加熱してしまう虞もある。
上記の問題の解決を図る上で、本発明では、所定の溶液Ｌを結晶化させた微細な結晶を結晶化開始部Ｐとして用い、当該微細な結晶と所定の溶液Ｌとを接触させることで所定の溶液Ｌの結晶化を開始させる。
【００３０】
また、結晶化開始部Ｐとしての微細な結晶は、第１及び第２包装部材１Ａ、１Ｂのうち、一方の包装部材（例えば、第１包装部材１Ａ等）の内面に所定量付着されている。結晶化開始部Ｐの付着は、例えば、一方の包装部材の内面に所定の塗布方法により塗布されることで行われる。
ここで、所定の塗布方法としては、例えば、ダイコーター、カーテンコーター、ブレードコーター、グラビアコーター等の各種の一般的なコーターを用いた塗工方法や、グラビア印刷、フレキソ印刷やシルクスクリーン印刷等の所定の印刷方法等が挙げられる。なお、塗工方法にあっては、包装部材（基材）の所定部分に対するストライプ・パターン塗工が可能なグラビアコーター、円筒ブレードコーター、スロットダイコーターなどが好ましい。
具体的には、例えば、第１及び第２包装部材１Ａ、１Ｂのうち、一方の包装部材の内面の所定位置に対して、所定の印刷方法により微細な結晶を印刷することで、当該一方の包装部材の内面に微細な結晶が付着（塗布）されている。
ここで、一方の包装部材における微細な結晶を塗布する位置は、第２貼り合わせ部１５の内側となる位置、即ち、第１及び第２包装部材１Ａ、１Ｂが貼り合わされる部分（第１貼り合わせ部１４）における仕切り部１３の第１収容部１１と反対側に隣り合うような位置となっている。
このように、第２収容部１２は、本体部１の端部側（例えば、眉Ｈ１側の端部側等）に設けられている。
【００３１】
一対の耳掛け部２、２の各々は、各本体部１の左右方向（Ｘ方向）両側部の各々に連続して設けられている。
また、耳掛け部２は、伸縮性を有する素材から構成され、具体的には、例えば、不織布、織布、紙、樹脂フィルム等から構成されている。
【００３２】
次に、第１収容部１１に収容されている所定の溶液Ｌが結晶化する際の変化の態様について、図１（ａ）及び図１（ｂ）並びに図３（ａ）及び図３（ｂ）を参照して説明する。
図３（ａ）及び図３（ｂ）は、目用温熱具１００の本体部１に収容されている所定の溶液Ｌの結晶化を説明するための図であり、図３（ａ）に示す状態から図３（ｂ）に示す状態へと変化する。なお、図３（ａ）及び図３（ｂ）にあっては、所定の溶液Ｌが液体の状態と結晶化した状態とで模様を変えて表している。
【００３３】
先ず、目用温熱具１００の使用の際に、各本体部１が着用者Ｈの左右両目Ｅ、Ｅの各々を覆うように着用され、一対の耳掛け部２、２が着用者Ｈの各耳に掛けられる（図１（ａ）及び図１（ｂ）参照）。
この状態では、第１収容部１１と第２収容部１２とは仕切り部１３により仕切られ、第１収容部１１に収容されている所定の溶液Ｌと第２収容部１２に収容されている結晶化開始部Ｐとは接しないため、所定の溶液Ｌは液体状態である。このため、着用者Ｈが顔の正面を上方に向けた状態で当該目用温熱具１００を着用すると、本体部１（特に、第１収容部１１）が重力により目Ｅや目Ｅの周囲の凹凸に沿って変形し、当該目Ｅや目Ｅの周囲に対してフィットする。
【００３４】
次に、第１収容部１１及び第２収容部１２のうち、例えば、第１収容部１１が第２収容部１２側に使用者により加圧されると、仕切り部１３が剥がされて、第１収容部１１の内側と第２収容部１２の内側とが連通状態となる。そして、第１収容部１１に収容されている所定の溶液Ｌと第２収容部１２に収容されている結晶化開始部Ｐとが接すると、当該所定の溶液Ｌの結晶化が開始する。また、所定の溶液Ｌが相転移すると、凝固熱が発生し、目用温熱具１００から着用者Ｈの着用部位である目Ｅや目Ｅの周囲に温熱が付与される。
ここで、結晶化開始部Ｐは、本体部１の眉Ｈ１側の端部に配設されているため、所定の溶液Ｌの結晶は、眉Ｈ１側から頬Ｈ２側にかけて（図３（ａ）中、白抜きの矢印で示す方向に）徐々に成長していき（図３（ａ）参照）、最終的に、第１収容部１１に収容されている所定の溶液Ｌの全てが結晶化した状態となる（図３（ｂ）参照）。
つまり、目Ｅや目Ｅの周囲の凹凸に沿って本体部１が変形した状態で、本体部１の眉Ｈ１側から頬Ｈ２側に所定の溶液Ｌが結晶化していくため、当該目Ｅや目Ｅの周囲に対するフィット性は損なわれない。
【００３５】
次に、目用温熱具１００の製造方法について説明する。
先ず、第１及び第２包装部材１Ａ、１Ｂのうち、一方の包装部材（例えば、第１包装部材１Ａ等）の内面の所定位置に結晶化開始部Ｐを付着する工程（付着工程）を行う。具体的には、第１及び第２包装部材１Ａ、１Ｂが貼り合わされた状態で、一方の包装部材の内面の第２貼り合わせ部１５となる位置の内側（仕切り部１３の第１収容部１１と反対側に隣り合う位置）に対応する位置に結晶化開始部Ｐを付着する。
【００３６】
次に、第１及び第２包装部材１Ａ、１Ｂのうち、一方の包装部材（例えば、第１包装部材１Ａ等）の内面の所定位置に、過冷却状態、或いは、過冷却される前の所定の溶液Ｌを配置する工程（配置工程）を行う。具体的には、第１及び第２包装部材１Ａ、１Ｂが貼り合わされた状態で、一方の包装部材の内面の第１貼り合わせ部１４となる位置の内側に所定の溶液Ｌを配置する。
なお、付着工程及び配置工程の順序は、一例であってこれに限られるものではなく、適宜任意に変更可能であり、例えば、配置工程の後に付着工程を行っても良い。
【００３７】
次に、第１及び第２包装部材１Ａ、１Ｂを所定方向に重ね合わせた状態で、第１貼り合わせ部１４における仕切り部１３以外の部分や第２貼り合わせ部１５を相対的に高い温度で所定の圧着方法（例えば、ヒートシール等）により圧着して貼り合わせる工程（高温圧着工程）を行う。これにより、第１及び第２包装部材１Ａ、１Ｂが貼り合わされる部分である第１貼り合わせ部１４における仕切り部１３（一部分）以外の他の部分が相対的に高い温度で所定の圧着方法により圧着されて貼り合わされる。
【００３８】
次に、第１貼り合わせ部１４における仕切り部１３（第１及び第２包装部材１Ａ、１Ｂが貼り合わされる部分における一部分）を相対的に低い温度で所定の圧着方法により圧着して貼り合わせる工程（低温圧着工程）を行って、当該目用温熱具１００の製造を完了する。
この低温圧着工程は、上記高温圧着工程と同様に、例えば、ヒートシール等を適用することができる。
【００３９】
なお、高温圧着工程及び低温圧着工程の順序は、一例であってこれに限られるものではなく、適宜任意に変更可能であり、例えば、低温圧着工程の後に高温圧着工程を行っても良い。
【００４０】
以下に、本発明の実施例及び比較例について説明する。
【００４１】
＜水溶液の結晶化の評価試験＞
所定の溶液に含まれる所定の塩の濃度［重量％］を変化させた場合の温感、フィット性、持続性、結晶の柔らかさ・硬さについて、以下の比較例１〜６を参照して説明する。
【００４２】
（水溶液）
溶媒：水
塩：酢酸ナトリウム三水塩
濃度：所定量の酢酸ナトリウム三水塩を水に溶解させて、酢酸ナトリウムの含有量が３６、４０、４６、５２、５８、６２［重量％］となるように調整し、過冷却状態のものを用いた。酢酸ナトリウムの各濃度の水溶液を試験体＜比較例１〜６＞とした。
【００４３】
（結晶化開始部）
結晶化開始部：酢酸ナトリウムを結晶化させた微細な結晶を微量用いた。
なお、酢酸ナトリウムの微細な結晶は、微量（ごく少量）であるため、所定の溶液に含まれる所定の塩の濃度変化に対する影響はないものとする。
【００４４】
（包装部材）
第１及び第２包装部材：低密度ポリエチレン（ＬＤＰＥ）とポリエチレン（ＰＥ）を積層した積層フィルムを用いた。
各包装部材の寸法：片方の目やその周囲を被覆できる程度の大きさとして、それぞれ６０×６０［ｍｍ］とした。
また、第１及び第２包装部材の所定位置に第１収容部及び第２収容部を仕切り部により隔てて形成し、第１収容部に所定濃度の酢酸ナトリウムを含有する過冷却状態の水溶液を収容し、第２収容部に結晶化開始部を収容した。
【００４５】
（結晶化の開始方法）
比較例１〜６に対応する各試験体について、使用者が第１収容部を第２収容部側に加圧して仕切り部を剥がして、第１収容部の内側と第２収容部の内側とを連通状態とした。そして、第１収容部に収容されている水溶液と第２収容部に収容されている結晶化開始部とを接触させて、各試験体の水溶液の結晶化を開始させた。
【００４６】
（温感の評価）
顔の正面を上方に向けた状態で、各試験体の水溶液の結晶化の開始後に左右何れか一方のまぶたの上に載せて、所定の溶液の発熱反応（結晶化）に伴う温感を目（まぶた）の部分と目の周囲（窪み）の部分とで評価した。
このときの温感を３段階で官能評価し、具体的には、温かさを感じる場合に「３」と表記し、温かさをやや感じる場合に「２」と表記し、全く温かさを感じない場合に「１」と表記する。
【００４７】
（フィット性の評価）
各試験体のフィット性を温感の官能評価と併せて総合的に評価した。
即ち、温かさを感じる度合が大きいほどフィット性も高いと判断し、フィット性を３段階で官能評価した。具体的には、温かさを感じる場合にはフィット性も相対的に高いと判断して「３」と表記し、温かさをやや感じる場合にフィット性もあまり高くないと判断して「２」と表記し、全く温かさを感じない場合にはフィット性が高くないと判断して「１」と表記する。
【００４８】
（温感の持続性の評価）
目の部分に各試験体を載せた状態で１０分間経過後に、温感を評価した。
このときの温感を３段階で官能評価し、具体的には、温かさを感じる場合に「３」と表記し、温かさをやや感じる場合に「２」と表記し、全く温かさを感じない場合に「１」と表記する。
【００４９】
（柔らかさ・硬さの評価）
各試験体の水溶液の発熱反応（結晶化）が開始してから３０分経過後の柔らかさ・硬さを官能評価した。具体的には、相対的に柔らかい場合には「柔らかい」と表記し、相対的に硬いと感じる場合には「硬い」と表記する。また、水溶液の発熱反応（結晶化）が進行しなかった場合には（依然として液体の状態）、柔らかいと感じるものの「none」と表記する。
【００５０】
【表１】
0005854737.tif 000002
【００５１】
［評価］
表１に示すように、水溶液中の酢酸ナトリウムの含有量が３６［重量％］の場合（比較例１）、当該水溶液の結晶化が進行せずに、依然として液体の状態であった。
また、水溶液中の酢酸ナトリウムの含有量が４０［重量％］の場合（比較例２）、当該水溶液の結晶化が進行したものの発熱量が少ないために、試験体と接触し易い部分である目は温かさを感じたものの、試験体と接触し難い部分である目の周囲は温かさを感じなかった。
【００５２】
水溶液中の酢酸ナトリウムの含有量を４６［重量％］以上とした場合（比較例３〜６）、当該水溶液の結晶化が進行して十分な発熱量が得られた。この結果、試験体と接触し易い部分である目は温かさを感じたものの、当該試験体の水溶液の結晶が硬いために試験体と接触し難い部分である目の周囲は温かさを感じ難かった。特に、水溶液中の酢酸ナトリウムの含有量が５２［重量％］以上とした場合（比較例４〜６）、目の周囲は温かさを感じなかった。
なお、水溶液中の酢酸ナトリウムの含有量が４０［重量％］の場合、水溶液の発熱反応（結晶化）が開始してから３０分経過後には、温かさを感じなかったが、水溶液中の酢酸ナトリウムの含有量を多くするにつれて持続性も改善され、酢酸ナトリウムの含有量を５８［重量％］とした場合には、３０分経過後にも温かさを感じた。
【００５３】
この結果、温感や持続性を考慮すると、水溶液中の酢酸ナトリウムの含有量を多くするほど良いと考えられるが、当該水溶液の結晶が硬くなるとフィット性が悪くなり、結晶の柔らかさ・硬さを調整する調整剤の添加が必要であると考えられる。
【実施例１】
【００５４】
＜調整剤の評価試験＞
各種の調整剤を所定濃度添加した場合の温感、フィット性、持続性、結晶の柔らかさ・硬さについて、以下の実施例１〜５を参照して説明する。
【００５５】
（水溶液）
溶媒：水
塩：酢酸ナトリウム三水塩
調整剤：エタノール＜実施例１＞、グリセリン＜実施例２＞、ＰＥＧ＜実施例３＞、シクロデキストリン＜実施例４＞、エタノール＋グリセリン＜実施例５＞
濃度：所定量の酢酸ナトリウム三水塩及び各種調整剤を水に溶解させて、酢酸ナトリウムの含有量及び各種調整剤が所定の重量％（濃度）となるように調整し、過冷却状態のものを用いた。
＜実施例１＞
酢酸ナトリウムの含有量を５２［重量％］、エタノール（７９．１５％）の含有量を１０［重量％］に調整した。
＜実施例２＞
酢酸ナトリウムの含有量を５２［重量％］、グリセリンの含有量を１３［重量％］に調整した。
＜実施例３＞
酢酸ナトリウムの含有量を４６［重量％］、ＰＥＧの含有量を１２［重量％］に調整した。
＜実施例４＞
酢酸ナトリウムの含有量を４６［重量％］、シクロデキストリンの含有量を１２［重量％］に調整した。
＜実施例５＞
酢酸ナトリウムの含有量を５１［重量％］、エタノール（７９．１５％）の含有量を６［重量％］、グリセリンの含有量を７［重量％］に調整した。
【００５６】
（結晶化開始部）
結晶化開始部は、上記の水溶液の結晶化の評価試験と同様であり、その詳細な説明は省略する。
【００５７】
（包装部材）
包装部材は、上記の水溶液の結晶化の評価試験と同様であり、第１収容部に実施例１〜５の過冷却状態の水溶液を収容し、第２収容部に結晶化開始部を収容した。
【００５８】
（結晶化の開始方法）
結晶化の開始方法は、上記の水溶液の結晶化の評価試験と同様であり、その詳細な説明は省略する。
【００５９】
（温感の評価）
温感の評価方法は、上記の水溶液の結晶化の評価試験と同様であり、その詳細な説明は省略する。
【００６０】
（フィット性の評価）
フィット性の評価方法は、上記の水溶液の結晶化の評価試験と同様であり、その詳細な説明は省略する。
【００６１】
（温感の持続性の評価）
温感の持続性の評価方法は、上記の水溶液の結晶化の評価試験と同様であり、その詳細な説明は省略する。
【００６２】
（柔らかさ・硬さの評価）
柔らかさ・硬さの評価方法は、上記の水溶液の結晶化の評価試験と同様であり、その詳細な説明は省略する。
【００６３】
【表２】
0005854737.tif 000003
【００６４】
［評価］
表２に示すように、試験体の温感や持続性を考慮して、酢酸ナトリウムの含有量を４６［重量％］以上に調整したところ、水溶液中の酢酸ナトリウムの含有量が５１［重量％］以上で、エタノールやグリセリン等の各種のアルコールを所定濃度含有する水溶液の場合（実施例１、２、５）、各試験体の水溶液の結晶が十分な柔らかさを保持しているため、試験体と接触し易い部分である目だけでなく、試験体と接触し難い部分である目の周囲も温かさを感じた。また、各試験体の水溶液の発熱反応（結晶化）が開始してから３０分経過後の時点でも、温かさを感じた。
【００６５】
また、水溶液中の酢酸ナトリウムの含有量を４６［重量％］として、ＰＥＧ（アルコール）の含有量を１２［重量％］とする場合や（実施例３）、シクロデキストリン（多糖類）の含有量を１２［重量％］とする場合には（実施例４）、各試験体の水溶液の結晶が十分な柔らかさを保持しているため、試験体と接触し易い部分である目は温かさを感じ、試験体と接触し難い部分である目の周囲もやや温かさを感じた。なお、目の周囲の部分の温感の低下に伴ってフィット性の評価も悪化した。
【００６６】
この結果、調整剤としてアルコールや多糖類を用いることで、水溶液の結晶に十分な柔らかさを付与することができると考えられる。また、水溶液中の酢酸ナトリウムの含有量を５１［重量％］以上とした場合に、温感、フィット性、持続性、結晶の柔らかさの点で最も良い結果が得られた。
【実施例２】
【００６７】
＜調整剤の濃度の評価試験＞
所定の溶液に含まれる調整剤の濃度を変化させた場合の温感、フィット性、持続性、結晶の柔らかさ・硬さについて、以下の実施例６〜９並びに比較例７、８を参照して説明する。
【００６８】
（水溶液）
溶媒：水
塩：酢酸ナトリウム三水塩
調整剤：エタノール（７９．１５％）
濃度：試験体の温感や持続性を考慮して、所定量の酢酸ナトリウム三水塩を水に溶解させて、酢酸ナトリウムの含有量が５２［重量％］となるように調整するとともに、エタノールの含有量が所定の重量％（濃度）となるように調整し、過冷却状態のものを用いた。
＜比較例７＞
エタノールの含有量が３［重量％］となるように水の含有量を４５［重量％］に調整した。
＜実施例６＞
エタノールの含有量が５［重量％］となるように水の含有量を４３［重量％］に調整した。
＜実施例７＞
エタノールの含有量が１０［重量％］となるように水の含有量を３８［重量％］に調整した。
＜実施例８＞
エタノールの含有量が１５［重量％］となるように水の含有量を３３［重量％］に調整した。
＜実施例９＞
エタノールの含有量が２０［重量％］となるように水の含有量を２８［重量％］に調整した。
＜比較例８＞
エタノールの含有量が２５［重量％］となるように水の含有量を２３［重量％］に調整した。
【００６９】
（結晶化開始部）
結晶化開始部は、上記の水溶液の結晶化の評価試験と同様であり、その詳細な説明は省略する。
【００７０】
（包装部材）
包装部材は、上記の水溶液の結晶化の評価試験と同様であり、第１収容部に実施例６〜９並びに比較例７、８の過冷却状態の水溶液を収容し、第２収容部に結晶化開始部を収容した。
【００７１】
（結晶化の開始方法）
結晶化の開始方法は、上記の水溶液の結晶化の評価試験と同様であり、その詳細な説明は省略する。
【００７２】
（温感の評価）
温感の評価方法は、上記の水溶液の結晶化の評価試験と同様であり、その詳細な説明は省略する。
【００７３】
（フィット性の評価）
フィット性の評価方法は、上記の水溶液の結晶化の評価試験と同様であり、その詳細な説明は省略する。
【００７４】
（温感の持続性の評価）
温感の持続性の評価方法は、上記の水溶液の結晶化の評価試験と同様であり、その詳細な説明は省略する。
【００７５】
（柔らかさ・硬さの評価）
柔らかさ・硬さの評価方法は、上記の水溶液の結晶化の評価試験と同様であり、その詳細な説明は省略する。
【００７６】
【表３】
0005854737.tif 000004
【００７７】
［評価］
表３に示すように、水溶液中のエタノールの含有量を３［重量％］とした場合（比較例７）、当該水溶液の結晶化が進行して十分な発熱量が得られ、試験体と接触し易い部分である目は温かさを感じた。しかしながら、当該試験体の水溶液の結晶が硬いために試験体と接触し難い部分である目の周囲は温かさを感じなかった。
【００７８】
水溶液中のエタノールの含有量を５［重量％］以上とすると（実施例６〜９）、各試験体の水溶液の結晶が十分な柔らかさを保持しているため、試験体と接触し易い部分である目だけでなく、試験体と接触し難い部分である目の周囲も温かさを感じた。特に、水溶液中のエタノールの含有量を５［重量％］、１０［重量％］とした場合（実施例６、７）、各試験体の水溶液の発熱反応（結晶化）が開始してから３０分経過後の時点でも、温かさを感じた。
また、水溶液中のエタノールの含有量を１５［重量％］以上とすると（実施例８、９）、各試験体の水溶液の結晶が十分な柔らかさを保持しているものの、各試験体の水溶液の発熱反応（結晶化）が開始してから３０分経過後の時点では、発熱量が十分でなくなり、温かさをやや感じた。
【００７９】
なお、水溶液中のエタノールの含有量が２５［重量％］とすると（比較例８）、当該水溶液の結晶化が進行せずに、依然として液体の状態であった。
【００８０】
この結果、水溶液の結晶に十分な柔らかさを付与するためには、水溶液中に調整剤が５〜２０［重量％］となるように添加されているのが好ましいと考えられる。また、水溶液中のエタノールの含有量を１０［重量％］とした場合に、温感、フィット性、持続性、結晶の柔らかさの点で最も良い結果が得られた。
【００８１】
以上のように、本実施形態の目用温熱具１００によれば、相転移により発熱する過冷却状態の所定の溶液Ｌが収容された本体部１の一端部側には、所定の溶液Ｌの結晶化を開始させる結晶化開始部Ｐが配設されているので、結晶化開始部Ｐにより所定の溶液Ｌの結晶化が開始させられると、本体部１の一端部側から他端部側にかけて所定の溶液Ｌの結晶化が進行していくことで、目Ｅの部分の凹凸に沿うように所定の溶液Ｌの結晶を成長させることができ、凹凸のある目Ｅの部分に対する当該目用温熱具１００のフィット性を向上させることができる。
【００８２】
また、本体部１の端部側には、所定の溶液Ｌと接することで当該所定の溶液Ｌの結晶化を開始させる結晶化開始部Ｐが所定の溶液Ｌと接しないように保持されているので、当該結晶化開始部Ｐと所定の溶液Ｌとを接触させることで、所定の溶液Ｌの結晶化を開始させることができる。
【００８３】
また、第１収容部１１と第２収容部１２とを非連通状態で保持する仕切り部１３は、第１収容部１１及び第２収容部１２のうち、少なくとも一方の収容部側から加えられる圧力により剥がされて、第１収容部１１と第２収容部１２とを連通状態とするので、第１収容部１１に収容されている所定の溶液Ｌと第２収容部１２に収容されている結晶化開始部Ｐとを接触可能な状態とすることができる。これにより、結晶化開始部Ｐと所定の溶液Ｌとが接触することで、所定の溶液Ｌの結晶化が開始することとなる。
【００８４】
また、所定の溶液Ｌには、当該所定の溶液Ｌが結晶化された状態での柔らかさを調整する調整剤が添加されているので、所定の溶液Ｌが結晶化された状態で十分な柔らかさを保持することができ、着用される目Ｅの部分に対するフィット性をさらに向上させることができる。
【００８５】
また、目用温熱具１００の本体部１に、相転移により発熱する過冷却状態の所定の溶液Ｌが収容され、所定の溶液Ｌには、当該所定の溶液Ｌが結晶化された状態での柔らかさを調整する調整剤が所定量添加されているので、当該所定の溶液Ｌが結晶化された状態で柔らかさを保持することができる。例えば、関節などに着用する場合には、可動部分の動きに追従するような十分な柔らかさを保持することができるとともに、骨折箇所などに着用する場合には、可動部分の動きを抑制するために必要な硬さを保持することができる。従って、着用される部位に対するフィット性を向上させた目用温熱具１００を提供することができる。
【００８６】
また、所定の溶液Ｌは、所定の塩が水に溶解した水溶液であり、調整剤は、アルコール及び多糖類のうち、少なくとも一方を含むので、所定の溶液Ｌに対してアルコール及び多糖類のうち、少なくとも一方を所定量添加することで、当該所定の溶液Ｌが結晶化された状態で柔らかさを保持することができる。
特に、所定の溶液Ｌに対する調整剤の添加量を５〜２０［重量％］に調整することが望ましい。即ち、下限が５［重量％］未満では、当該所定の溶液Ｌが結晶化された状態で十分な柔らかさを保持することができず、着用される部位に対するフィット性が悪化してしまうためである。また、上限が２０［重量％］を超えると、当該所定の溶液Ｌが十分に結晶化することができず、相転移により十分な凝固熱を発生させることができないためである。
【００８７】
また、本体部１には、当該本体部１に収容された所定の溶液Ｌの結晶化を開始させる結晶化開始部Ｐが設けられているので、結晶化開始部Ｐによって所定の溶液Ｌの結晶化を開始させることができる。
【００８８】
また、相転移により発熱する過冷却状態の所定の溶液Ｌが収容された本体部１の第１及び第２包装部材１Ａ、１Ｂのうち、一方の包装部材の内面に、第１及び第２包装部材１Ａ、１Ｂが貼り合わされる部分における一部分の第１収容部１１と反対側に隣り合うように、所定の溶液Ｌと接することで当該所定の溶液Ｌの結晶化を開始させる結晶化開始部Ｐが付着され、第１及び第２包装部材１Ａ、１Ｂが貼り合わされた部分における一部分は、当該目用温熱具１００の非使用状態にて第１収容部１１と結晶化開始部Ｐとを仕切るとともに、使用の際に第１収容部１１側及び結晶化開始部Ｐ側のうちの少なくとも一方から加えられる圧力により剥がされて当該第１収容部１１の内側と結晶化開始部Ｐの存する空間とを連通させるので、第１及び第２包装部材１Ａ、１Ｂが貼り合わされた部分における一部分によって、目用温熱具１００の非使用状態にて、所定の溶液Ｌと結晶化開始部Ｐとが接しないように保持することができ、一方、目用温熱具１００の使用の際には、第１収容部１１側及び結晶化開始部Ｐ側のうちの少なくとも一方から使用者により加圧されると、第１及び第２包装部材１Ａ、１Ｂが貼り合わされた部分における一部分が剥がされて、第１収容部１１の内側と結晶化開始部Ｐの存する空間とを連通状態として、第１収容部１１に収容されている所定の溶液Ｌと結晶化開始部Ｐとが接触可能な状態とすることができる。従って、非使用状態で過冷却状態の所定の溶液Ｌと結晶化開始部Ｐとを保持する構造を簡略化することができ、当該目用温熱具１００の製造効率の低下やコストアップを抑制することができる
【００８９】
さらに、結晶化開始部Ｐは、第１及び第２包装部材１Ａ、１Ｂのうち、一方の包装部材の内面に所定の塗布方法により塗布されているので、当該結晶化開始部Ｐの配設を簡便に行うことができ、当該目用温熱具１００の製造効率の低下やコストアップを抑制することができる。
【００９０】
加えて、第１及び第２包装部材１Ａ、１Ｂが貼り合わされた部分における一部分は、当該一部分以外の他の部分に対して貼り合わせの強度が低くされているので、第１収容部１１の内側と結晶化開始部Ｐの存する空間とを連通状態とする際に、第１及び第２包装部材１Ａ、１Ｂが貼り合わされた部分における一部分を容易に剥がすことができる。具体的には、第１及び第２包装部材１Ａ、１Ｂが貼り合わされる部分における一部分を、他の部分に対して低い温度で圧着するだけで、第１及び第２包装部材１Ａ、１Ｂが貼り合わされる部分における一部分の貼り合わせの強度を他の部分に対して低くなるように当該目用温熱具１００を製造することができ、当該目用温熱具１００の製造効率の低下やコストアップを抑制することができる。
【００９１】
なお、本発明は、上記実施形態に限定されることなく、本発明の趣旨を逸脱しない範囲において、種々の改良並びに設計の変更を行っても良い。
以下に、本発明に係る目用温熱具１００の各構成の変形例について説明する。なお、下記に説明する以外の点は、上記実施形態と略同様であり、その詳細な説明は省略する。
【００９２】
＜変形例１＞
図４は、変形例１の目用温熱具１００の本体部２０１を説明するための図であり、図４（ａ）は、目用温熱具１００の本体部２０１を示す平面図であり、図４（ｂ）は、図４（ａ）のIV−IV線における本体部２０１の断面図である。
図４（ａ）及び図４（ｂ）に示すように、第１及び第２包装部材１Ａ、１Ｂのうち、一方の包装部材（例えば、第１包装部材１Ａ等）の内面における仕切り部１３に対応する部分に、所定形状の粒子Ｑが所定量付着されている。粒子Ｑの付着は、例えば、少なくとも一方の包装部材の内面であって、第１及び第２包装部材１Ａ、１Ｂが貼り合わされる部分における一部分に対応する部分に、所定の塗布方法により塗布されることで行われる。
なお、粒子Ｑの塗布方法は、上記実施形態における結晶化開始部Ｐの塗布方法と同様であり、その詳細な説明は省略するが、例えば、一方の包装部材の内面の所定位置に対して、グラビア印刷、フレキソ印刷やシルクスクリーン印刷等の所定の印刷方法により所定形状の粒子Ｑを印刷することで、当該一方の包装部材の内面に所定形状の粒子Ｑが付着（塗布）されている。
【００９３】
ここで、所定形状の粒子Ｑとしては、無機物や有機物の各種のフィラーを適用することができる。具体的には、例えば、重質炭酸カルシウム、沈降性炭酸カルシウム、合成シリカ、酸化チタン等が挙げられる。
なお、粒子Ｑの形状や寸法等は、後述するように仕切り部１３の貼り合わせの強度に応じて適宜任意に調整可能である。例えば、粒子Ｑの外形の凹凸が相対的に大きいほど、或いは、粒子Ｑの寸法が相対的に大きいほど、貼り合わせの強度が相対的に小さくなる一方で、粒子Ｑの外形の凹凸が相対的に小さいほど、或いは、粒子Ｑの寸法が相対的に小さいほど、貼り合わせの強度が相対的に大きくなる。
【００９４】
また、仕切り部１３は、第１及び第２包装部材１Ａ、１Ｂが所定の圧着方法により貼り合わされて第１貼り合わせ部１４が形成される際に、当該仕切り部１３に対応する部分に付着された粒子Ｑを介在させて圧着される。これにより、仕切り部１３の貼り合わせの強度は、当該第１貼り合わせ部１４における他の部分の貼り合わせの強度に対して低くなる。
【００９５】
次に、変形例１の目用温熱具１００の製造方法について説明する。
先ず、第１及び第２包装部材１Ａ、１Ｂのうち、一方の包装部材（例えば、第１包装部材１Ａ等）の内面の所定位置に結晶化開始部Ｐを付着する工程（結晶化開始部付着工程）を行う。この結晶化開始部付着工程は、上記実施形態における付着工程と略同様であり、その詳細な説明は省略する。
【００９６】
次に、第１及び第２包装部材１Ａ、１Ｂのうち、一方の包装部材（例えば、第１包装部材１Ａ等）の内面の所定位置に所定形状の粒子Ｑを所定量付着する工程（粒子付着工程）を行う。具体的には、第１及び第２包装部材１Ａ、１Ｂが貼り合わされた状態で、一方の包装部材の内面の第１貼り合わせ部１４の仕切り部１３に対応する部分に、所定形状の粒子Ｑを所定量付着する。
【００９７】
なお、結晶化開始部付着工程及び粒子付着工程の順序は、一例であってこれに限られるものではなく、適宜任意に変更可能であり、例えば、粒子付着工程の後に結晶化開始部付着工程を行っても良い。
【００９８】
次に、第１及び第２包装部材１Ａ、１Ｂのうち、一方の包装部材（例えば、第１包装部材１Ａ等）の内面の所定位置に、過冷却状態、或いは、過冷却される前の所定の溶液Ｌを配置する工程（配置工程）を行う。この配置工程は、上記実施形態における配置工程と略同様であり、その詳細な説明は省略する。
なお、配置工程は、例えば、結晶化開始部付着工程及び粒子付着工程よりも前に行われても良いし、結晶化開始部付着工程及び粒子付着工程のうち、先に行われた何れかの付着工程の後に行われても良い。
【００９９】
次に、第１及び第２包装部材１Ａ、１Ｂを所定方向に重ね合わせた状態で、第１貼り合わせ部１４及び第２貼り合わせ部１５を所定の温度で所定の圧着方法（例えば、ヒートシール等）により圧着して貼り合わせる工程（圧着工程）を行って、当該目用温熱具１００の製造を完了する。これにより、第１及び第２包装部材１Ａ、１Ｂは、仕切り部１３に対応する部分に付着された粒子Ｑを介在させた状態で、所定の圧着方法により圧着されて貼り合わされる。
【０１００】
従って、変形例１の目用温熱具１００によれば、本体部２０１の第１及び第２包装部材１Ａ、１Ｂが所定の圧着方法により貼り合わされる際に、第１及び第２包装部材１Ａ、１Ｂが貼り合わされる部分における一部分を、当該一部分に対応する部分に付着された所定形状の粒子Ｑを介在させて圧着するだけで、即ち、一度の圧着作業だけで、第１及び第２包装部材１Ａ、１Ｂが貼り合わされる部分における一部分の貼り合わせの強度を他の部分に対して低くなるように当該目用温熱具１００を製造することができ、当該目用温熱具１００の製造効率の低下やコストアップを抑制することができる。
【０１０１】
さらに、所定形状の粒子Ｑは、第１及び第２包装部材１Ａ、１Ｂのうち、少なくとも一方の包装部材の内面であって、第１及び第２包装部材が貼り合わされる部分における一部分に対応する部分に、所定の塗布方法により塗布されているので、当該粒子Ｑの配設を簡便に行うことができ、当該目用温熱具１００の製造効率の低下やコストアップを抑制することができる。
【０１０２】
また、第１及び第２包装部材１Ａ、１Ｂのうち、一方の包装部材の内面に、第１及び第２包装部材１Ａ、１Ｂが貼り合わされる部分における一部分の第１収容部１１と反対側に隣り合うように結晶化開始部Ｐを付着する結晶化開始部付着工程と、第１及び第２包装部材１Ａ、１Ｂのうち、少なくとも一方の包装部材の内面であって、第１及び第２包装部材１Ａ、１Ｂが貼り合わされる部分における一部分に対応する部分に、所定形状の粒子Ｑを所定量付着する粒子付着工程とを行った後、第１及び第２包装部材１Ａ、１Ｂが貼り合わされる部分における一部分を、当該一部分に対応する部分に付着された粒子Ｑを介在させて所定の圧着方法により圧着して第１及び第２包装部材１Ａ、１Ｂを貼り合わせるだけで、第１及び第２包装部材１Ａ、１Ｂが貼り合わされる部分における一部分の貼り合わせの強度を他の部分に対して低くなるように当該目用温熱具１００を製造することができ、当該目用温熱具１００の製造効率の低下やコストアップを抑制することができる。
【０１０３】
なお、上記実施形態及び変形例１にあっては、結晶化開始部Ｐ及び所定形状の粒子Ｑの塗布方法として、所定の印刷方法を例示したが、一例であってこれに限られるものではなく、結晶化開始部Ｐ及び所定形状の粒子Ｑの塗布方法は適宜任意に変更可能である。例えば、結晶化開始部Ｐ及び所定形状の粒子Ｑを各種の一般的なコーターを用いた塗工方法により塗布するようにしても良い。
さらに、結晶化開始部Ｐ及び所定形状の粒子Ｑのうち、何れか一方の塗布を塗工方法により行い、他方の塗布を所定の印刷方法により行うようにしても良い。
【０１０４】
＜変形例２＞
図５は、変形例２の目用温熱具１００の本体部３０１を説明するための図である。
図５に示すように、第１及び第２包装部材１Ａ、１Ｂのうち、一方の包装部材（例えば、第１包装部材１Ａ等）の内面の複数箇所の各々に、結晶化開始部Ｐが付着されている。そして、第１及び第２包装部材１Ａ、１Ｂが貼り合わされることで複数の結晶化開始部Ｐ、…が互いに接しないように仕切られている。
具体的には、本体部３０１における仕切り部３１３の眉Ｈ１側には、それぞれ結晶化開始部Ｐが収容された複数の第２収容部３１２、…が設けられている。複数の第２収容部３１２、…は、例えば、略矩形状に形成され、Ｘ方向（左右方向）に所定間隔を空けて並設されている。
複数の第２収容部３１２、…どうしの間は、第１及び第２包装部材１Ａ、１Ｂが仕切り部３１３よりも高い貼り合わせの強度で貼り合わされ、第１収容部１１の一端部（例えば、眉Ｈ１側の一端部等）に連続している。即ち、複数の第２収容部３１２、…の各々と第１収容部１１との間に、複数の仕切り部３１３、…が設けられ、各仕切り部３１３によって第１収容部１１の内側と各結晶化開始部Ｐの存する空間とが仕切られている。
【０１０５】
なお、各仕切り部３１３や複数の第２収容部３１２、…どうしの間の貼り合わせ方法は、上記実施形態における貼り合わせ方法（例えば、ヒートシール等の圧着方法等）と同様であり、その詳細な説明は省略する。
また、各仕切り部３１３を剥がす方法も、上記実施形態で説明した方法と同様であり、その詳細な説明は省略する。
【０１０６】
また、複数の結晶化開始部Ｐ、…の付着は、上記実施形態と同様に、所定の塗布方法により塗布されることで行われ、具体的には、第１及び第２包装部材１Ａ、１Ｂのうち、一方の包装部材の内面の複数の第２収容部３１２、…に対応する位置に対して、例えば、グラビア印刷、フレキソ印刷やシルクスクリーン印刷等の所定の印刷方法により結晶化開始部Ｐを印刷することで、当該一方の包装部材の内面に複数の結晶化開始部Ｐ、…が付着されている。
【０１０７】
従って、変形例２の目用温熱具１００によれば、本体部３０１の第１及び第２包装部材１Ａ、１Ｂのうち、一方の包装部材の内面の複数箇所の各々に、結晶化開始部Ｐが付着され、第１及び第２包装部材１Ａ、１Ｂが貼り合わされることで複数の結晶化開始部Ｐ、…が互いに接しないように仕切られているので、第１収容部１１の内側と複数の結晶化開始部Ｐ、…の各々の存する空間とを個別に連通状態とすることで、各結晶化開始部Ｐを個別に所定の溶液Ｌと接触させることができ、当該目用温熱具１００を結晶化開始部Ｐの数に応じて繰り返し使用することができる。
【０１０８】
なお、上記変形例２にあっては、複数の結晶化開始部Ｐ、…を所定方向（例えば、Ｘ方向）に並べて設けるようにしたが、複数の結晶化開始部Ｐ、…の配設位置や数は一例であってこれに限られるものではなく、適宜任意に変更可能である。例えば、第１収容部１１を取り囲むように、略矩形状の当該第１収容部１１の所定数の辺に対して結晶化開始部Ｐを一つずつ設けるようにしても良いし、当該所定数の辺の各々に対して複数の結晶化開始部Ｐ、…を設けるようにしても良い。
【０１０９】
また、上記実施形態並びに各変形例にあっては、左右両目Ｅ、Ｅの各々に対応させるように左右二つの本体部１（２０１、３０１）を設け、対応する目Ｅに独立して温熱を付与可能な構成としたが、一例であってこれに限られるものではなく、本体部１の形状は適宜任意に変更可能である。例えば、本体部１を、左右両目Ｅ、Ｅを覆う左右方向に長尺な形状としても良い。
【０１１０】
さらに、上記実施形態並びに各変形例にあっては、結晶化開始部Ｐの配設位置として、本体部１（２０１、３０１）の眉Ｈ１側の端部側を例示したが、一例であってこれに限られるものではなく、適宜任意に変更可能である。即ち、結晶化開始部Ｐを配設する位置は、本体部１の端部側であれば如何なる位置であっても良く、頬Ｈ２側に配設しても良いし、耳側に配設しても良い。
また、本体部１を左右両目Ｅ、Ｅを覆う左右方向に長尺な形状とした場合には、左右方向における略中央の鼻側に結晶化開始部Ｐを配設しても良い。
【０１１１】
また、上記実施形態並びに各変形例にあっては、結晶化開始部Ｐを第１及び第２包装部材１Ａ、１Ｂのうち、一方の包装部材の内面に付着した構造を例示したが、一例であってこれに限られるものではなく、結晶化開始部Ｐの収容構造は適宜任意に変更可能である。即ち、結晶化開始部Ｐとしての所定の溶液Ｌの微細な結晶を第２収容部１２に収容するようにしても良いし、当該微細な結晶と所定のオイルとを混合して界面活性剤でエマルジョン化したものを第２収容部１２に収容するようにしても良い。
【０１１２】
さらに、上記実施形態並びに各変形例において、酢酸ナトリウム三水塩を過冷却状態とする場合、例えば、酢酸と水酸化ナトリウムの無水物又は水溶液を混合して用いても良い。この場合には、中和反応により発熱が起こるため、当該熱により混合物の温度が上昇して酢酸ナトリウムが溶解し、加温を要せず液体状態で取り扱うことができると考えられる。
【０１１３】
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【０１１４】
１００  目用温熱具
１、２０１、３０１  本体部
１１    第１収容部
１２、３１２  第２収容部
１３    仕切り部
１４    第１貼り合わせ部
１５    第２貼り合わせ部
Ｌ      所定の溶液
Ｐ      結晶化開始部
Ｑ      粒子
【図１】
0005854737.tif 000005
【図２】
0005854737.tif 000006
【図３】
0005854737.tif 000007
【図４】
0005854737.tif 000008
【図５】
0005854737.tif 000009